(57)【要約】【課題】この発明は、所定の時間に正しい服用量で問題の無い投与を行えるように、各患者の医学的に処方された個人の服用周期に合わせて、医薬品、特に固形の医薬品を予め仕分けて準備するのに適した保管器に関する。【解決手段】この発明の思想により、新しい保管器は、一つには週別計量器（１）として実現される。週別計量器（１）は、収納する容器Ａ内において、複数の容器Ｂを半ば傾いた姿勢で重ねる形で、マガジン形式に構成される。容器Ｂは、日別計量器または時間別計量器（７）である。各週別計量器（１）には、７つの日別計量器（７）がある。収納する容器Ａ（１）は、両方の端面側（２）が少なくとも部分的に開かれており、マガジン形式に、傾いた状態の端面側平面にほぼ平行に並んだ、その縦の狭い側面（７．１）で容器Ａ（１）の基盤部分上に支持される容器Ｂを有する。この保管器は、月別計量器（１０）としても実現することができる。月別計量器は、月別計量器（１０）の容器Ｃに組み込む、複数の引き出しまたは押し入れ構造（１１）を有する筐体（１２）で構成される。各押し入れ構造（１１）は、日別計量器（７）を収納するために、少なくとも一つの収納格子（１３）または収納格子を交換可能な形で嵌め込むことができる箱状の入れ子（１４）を有する。【実用新案登録請求の範囲】
【請求項１】
ｘｙ平面に広がる平坦な筐体およびその両端面側におけるアクセス用開口部で構成され、その際これらのアクセス用開口部に対して縦長の内部空間内において、複数の日毎計量器（７）が隣接して置かれた状態で存在する、医薬品、特に固形の医薬品を、使用量に応じて収納するための、週別計量器（１）として実現された保管器において、
この筐体は、基盤部分（３）と上部壁面（４）から成り、これらは、側壁（５）によって互いに連結されており、その際上部壁面（４）は、ｙ方向に広がる側壁（５）上に載っており、この場合、少なくとも部分的に互いに噛み合って取り外し可能な形または取り外し不可能な形で実現されていることと、傾いた状態の前方の端面側平面（２）と上部壁面（４）の始端との間には、開いた空間が残されており、この空間を通して、その時点で前方にある容器Ｂ（７）を、より容易に取り出す形で掴み出すことが可能であることと、後方の端面側にある、ほぼ半分の高さの外壁（２．１）が、容器（７）の半ば傾いた姿勢を保証する湾曲を有し、この湾曲は、その時点で接触する容器（７）の基盤部分（８）の湾曲と適合しており、容器（７）の傾斜の度合いが、この傾いた状態の端面側平面（２）と一致することとを特徴とする保管器。
【請求項２】
当該の開いた空間は、上部壁面（４）の始端において、その中心領域と境界を形成し、上部壁面（４）は、この中心領域に続く両方の周縁領域において、ｙ方向に向かって、それぞれ前方の端面側平面（２）の始端にまで達する柔軟なブリッジ部（６）または舌片状のばね部品を有し、これらは、その時点で最初の容器Ｂ（７）の上部にある縦の縁部上に弾力的に載っていることを特徴とする請求項１に記載の保管器。
【請求項３】
当該の柔軟なブリッジ部または舌片状のばね部品（６）は、前方の領域において、隆起部（６．１）を有することを特徴とする請求項２に記載の保管器。
【請求項４】
週別計量器（１）の後方側にある、その時点で最後の日別計量器（７）を固定するために、両方の側壁（５）に、それぞれ一つの挟持部品（５．１）を設け、これらの部品は、その挟持機能によって、その場所に位置する日別計量器の両端面を固定する形で作用し、その際これらの挟持部品（５．１）は、挟み込む形の隆起、挟み込む形の楔または挟み込む形のブリッジとして実現することができることを特徴とする請求項１から３までのいずれか一つに記載の保管器。
【請求項５】
医薬品、特に固形の医薬品を、使用量に応じて収納するための、日別計量器（７）として実現された保管器であって、その際日別計量器Ｂ（７）は、その長さが容器Ａ（１）の（ｘ方向における）幅と適合しており、基盤部分（８）と蓋部分（９）から成る保管器において、
週別計量器Ａ（１）の後方の端面側（２．１）に向いた基盤部分（８）は、この外壁（２．１）に適合する形で湾曲した壁面を有し、蓋部分（９）は、その側面の縦の周縁部（９．１）で、基盤部分（８）の本体壁面を把持することを特徴とする保管器。
【請求項６】
時間別計量器（７）の基盤部分の外側には、突起（７．２）が、分散して配備されており、これらの突起は、特に滑らかな基盤上において、より良好に支持する働きを有することを特徴とする請求項５に記載の保管器。
【請求項７】
一つの週別計量器（１）に対して、７つの容器Ｂ（７）が、マガジン形式に、端面側平面（２）に平行な半ば傾いた姿勢で、その縦の狭い側面（７．１）を容器の基盤部分（３）上に載せた形で、容器Ａ（１）内に収納されることを特徴とする請求項５または６に記載の保管器。
【請求項８】
医薬品、特に固形の医薬品を、使用量に応じて収納するための保管器において、
月別計量器（１０）を構成するために、相応の数の容器Ｂ（７）が、複数の押し入れ構造（１１）に収納され、これらの押し入れ構造は、それぞれ容器Ｂ（７）に対して、少なくとも一つの収納格子（１３）、または収納格子を交換可能な形で嵌め込むことができる箱状の入れ子（１４）を有し、この押し入れ構造（１１）は、月別計量器の容器Ｃ（１０）に引っ張り出すことができる形で組み入れられ、その際、
各押し入れ構造（１１）は、一つまたは複数の患者および／または一日における一定の時点用に割り当てられるとともに、相応の標識（１４）を有し、
押し入れ構造（１１）および場合によっては入れ子（１４）の基盤領域には、収納格子（１３）に収納される時間別計量器（７）および別に収納されるチューブ、瓶、ブリスター包装、使用説明書、補助器具および同等のものを容易に取り出すために、開口部（１１．２）が設けられていることを特徴とする保管器。
【請求項９】
押し入れ構造（１１）または入れ子（１４）にある収納格子（１３）は、容器Ｂ（７）を支持するために、日別計量器の基盤部分（８）に適合した湾曲を有し、その結果日別計量器は、それぞれその縦の狭い側面（７．１）を支えとして、半ば傾いた姿勢で、少なくとも一列に互いに平行に収納可能であるとともに、相応の標識（１１．３）を付けていることを特徴とする請求項８に記載の保管器。
【請求項１０】
押し入れ構造（１１）をほぼ完全に引っ張り出して、下方に倒すことを保証するために、押し入れ構造の背面側（１１．１）には、押し入れ構造（１１）を完全に引っ張り出した時に、前面の筐体構造に配置した対応するストッパー（１５．２）と接触するストッパー（１５．１）を配備することと、押し入れ構造（１１）を下方に倒すことを保証するために、押し入れ構造を滑りガイドするスロット（１６）を、終端に近づくにつれて水平面に対して約３０°の角度まで徐々に広げ、その結果このスロット（１６）内を滑るガイドレール（１７）が、より大きく広がって行く遊びのために、押し入れ構造（１１）とともに下方に倒れることとを特徴とする請求項８または９に記載の保管器。
【請求項１１】
月別計量器（１０）は、その基本的な装備において、５つの押し入れ構造（１１）、この場合有利には４つが小さく、１つが大きな押し入れ構造（１１）を有し、その際引き出しは、二つの小さい押し入れ構造に対して、一つの大きな押し入れ構造（１１）を交換することができる形に配置されていることを特徴とする請求項８から１０までのいずれか一つに記載の保管器。
【考案の詳細な説明】
【技術分野】
【０００１】
この発明は、所定の時間に正しい服用量で問題の無い投与を行えるように、各患者の医学的に処方された個人の服用周期に合わせて、医薬品、特に固形の医薬品を予め仕分けて準備するのに適した保管器に関する。
【背景技術】
【０００２】
このような保管器は、特に老人および障害者の看護において、医薬品を保管するとともに、医薬品の分配を容易にするために必要とされている。個々の障害者または老人に対して、医薬品を正しく手渡すための、様々な区画を持つ医薬品ロッカーが周知である。その場合、特に入れ子の中には、所謂ブリスター包装が入っており、対応する医薬品を何曜日の何時に収納するかを示すために利用されている。
【０００３】
老人の場合、投与する医薬品の数が比較的重要なので、医薬品を分配しなければならない看護師には、高い要求が課されることになる。
【０００４】
特許文献１には、小物体、特にタブレットまたはカプセル形状の医薬品に対する、箱型の収納本体を持ち、隣接して並べた個別容器を７個まで収容できる分類容器が開示されている。この箱型の収納本体は、最前列の個別容器を引き出す手段として、基盤部分の前方の中心領域には開口部を、ならびに前方の壁面には垂直のスリット形状の切り通しを有する。各個別容器は、角柱形の開口部を有し、その際透明な引き蓋が、縦の上部にある縁部の内側に延びたスロットで案内されている。
【０００５】
物体、特に医薬品、化粧品または装飾品を保管するための別の容器が、特許文献２に記載されている。この発明の主要な特徴は、スライディングシャッター状の蓋として構成された引き戸部であり、これは、差動継ぎ手（Ａｕｓｇｌｅｉｃｈｓｋｕｐｐｌｕｎｇ）を用いて、保管部品と連結して作用する関係にある。この屈曲する引き戸部を案内するのは、平行に配置され、内側に延びた内壁のスロットによって実現されている。この保管部品は、並んで配置された区画領域を有し、これらの領域は、固定の分離ウェブを用いて、互いに区分されている。
【０００６】
特許文献３により、特に医薬品用の、角柱形のモジュラー構造の容器が周知であり、その折り畳み可能な蓋とその折り畳み可能な基盤部分は、それぞれ容器の背面側で片側を固定されている。この容器の四角い空間形状で配置された７つの区画領域は、固定の分離ウェブによって互いに区分されている。さらに、日別計量器として構成された複数の容器は、容器の収納容量を高めるために、縦に形成したスロットとばねによって互いに連結されている。
【０００７】
特許文献４の発明の対象は、週別計量器として構成された容器であり、それは、垂直に上下に配置された日別計量器を収容し、その際前方の壁面と日別計量器の約半分の深さにまで延びる側壁は、開いている。この場合、四つまでの区画に区分された個々の日別計量器を週別計量器から引き出すのは、前方から行う。日別計量器の個々の区画は、それぞれ開けられる透明な蓋によって区分されている。週別計量器内に個々の日別計量器を固定、案内するのは、容器の内側に配置されたストッパーによって実現されている。
【０００８】
さらに、特許文献５は、従来の技術に属するものであり、その場合、四角い容器は、複数の垂直に配置された個別容器を収容し、それらの全面を自身の側壁で囲んでいる。この発明の本質は、垂直にずらすことができる前面カバーが、開いた領域を有し、その領域を通して個別容器の取り出しを行うことができることにある。有利な実施変化形態においては、この収納容器の上部領域での個別容器の取り出しは、これに連なり、そのために動くことができる基盤部分を持つばね部品によって実現されている。このばねの力の作用により、一つの容器を引き出した後に、それに続く個別容器が、この開いた領域にまで動かされるものである。
【０００９】
【特許文献１】ドイツ実用新案第２９６１０９５１号明細書
【特許文献２】ドイツ特許第１９８５６４９１号明細書
【特許文献３】国際特許公開第９９／０２１１８号明細書
【特許文献４】米国特許第５，５５８，２２９号明細書
【特許文献５】英国特許公開第２１２２５７８号明細書
【考案の開示】
【考案が解決しようとする課題】
【００１０】
この発明の課題は、容器を、時間別、日別、週別および月別の準備のために閲覧、充填および取り出しを容易に行うことができるように実現および配置した、新しい保管器を開発することである。
【課題を解決するための手段】
【００１１】
この発明にもとづく、この課題の解決法は、請求項１、５および８に記載されている。この発明の改良構成は、従属請求項の中で特徴付けられている。
【００１２】
この発明の思想により、新しい保管器が、一つには週別計量器として実現される。
【００１３】
この週別計量器は、複数の容器Ｂが、収納容器Ａ内に重ねる形で、マガジン形式に構成される。この収納容器Ａは、両方の端面側が少なくとも部分的に開いており、傾斜した状態の端面側平面にほぼ平行に延びる形で並んだ、その縦の狭い面を容器Ａの基盤上で支持する容器Ｂをマガジン形式に収容する。この場合、両方の端面側平面を同様に傾斜させるのは、前方の端面側によって主導される。この傾斜配置によって、容器Ａ内の重ねられた保管姿勢において、利用者が、すべての容器Ｂのその時点の中身を、追加の行為無しに何時でも一目で見通すことができる。
【００１４】
容器Ｂは、日別計量器または時間別計量器である。
【００１５】
各週別計量器（容器Ａ）には、７つの日別計量器が有る。例えば、タブレットが入った日別計量器（容器Ｂ）は、前方から、すなわち週別計量器の前方の端面側を通して引っ張り出したり、再び入れたり、ならびに中身の使用量に応じて、マガジン形式に、再び後方の端面側から週別計量器に投入することができる。
【００１６】
それぞれ週の周期に応じて、週別計量器に日別計量器をより簡単に充填するために、容器Ａの側壁に載っている上部壁面を取り外し可能な形で実現することができる。その場合、有利な実施構成では、この上部壁面の側面の端部と、これと接する側壁の縦の縁部とは、この上部壁面を、この側壁の内側への押圧だけで、それによって週別計量器の空の状態において、取り外すことができる形で、互いに噛み合う。
【００１７】
週別計量器の前方の端面側または端面側平面と、この上部壁面の始端との間には、開いた空間が設けられている。この開いた空間は、その時点に取り出し側にある最初の日別計量器を上方からアクセスして、それによってその時点で最初の日別計量器をより簡単に取り出しおよびより簡単に再投入することを可能とするものである。
【００１８】
有利な実施構成では、この開いた空間は、中心領域と境界を形成し、この中心領域に連なる両方の周縁側では、上部壁面が、それぞれ柔軟なブリッジ部または舌片状のばね部品の形状で前方の端面側にまで延びている。この柔軟なブリッジ部は、その時点で最初の容器Ｂ上に上方から弾力的に載っており、マガジンから取り出す準備ができている前方の日別計量器を十分に固定することを保証するものである。この場合、この前方の領域での固定機能を支援するための柔軟なウェブは、隆起部を有し、この隆起部の抵抗は、日別計量器を取り出すまたは戻す場合に克服されなければならない。
【００１９】
週別計量器の後方の端面側には、ほぼ半分の高さの外壁があり、その外壁とは、その時点で後方にある日別計量器が、その基盤部分を接している。
【００２０】
日別計量器の容器Ｂは、その寸法において、その長さが容器Ａ（週別計量器）の幅に適合しており、その結果週別計量器内で日別計量器を横に置いて重ねることによって、この「保管（Ａｕｆｍａｇａｚｉｅｒｅｎ）」が実現される。
【００２１】
各日別計量器は、基盤部分と、この基盤部分から取り外し可能またはこの基盤部分で縦方向にずらすことが可能なように実現された、有利には透明な蓋部分から構成される。二つの部分を組立てた場合に、この蓋部分は、その側面の縦の周縁部で、基盤部分の本体壁面を把持する。
【００２２】
この日別計量器の基盤部分は、湾曲した壁面で実現され、この基盤部分には、互いに区分された保管空間を形成するための区切りウェブが配備される。
【００２３】
この基盤部分の縦軸を横切る形で配備された区切りウェブによって、各日別計量器は、少なくとも５つの小間に区分され、その結果例えば、「朝」、「昼」、「晩」、「夜」および「必要時」に対するタブレットを収納することができる。対応するラベルは、蓋部分に取り付けることができる。
【００２４】
この保管器は、月別計量器としても実現することができる。
【００２５】
月別計量器は、複数の引き出しまたは押し入れ構造を有する筐体で構成され、これらの引き出しまたは押し入れ構造を月別計量器の容器Ｃに組み込む。
【００２６】
各押し入れ構造は、ここでは日別計量器または時間別計量器として使用される容器Ｂを保管するための、少なくとも一つの収納格子、または収納格子を交換可能な形で嵌め込むことができる箱状の入れ子を備えている。この場合、これらの容器Ｂは、その縦の狭い面を押し入れ構造の収納格子に載せる形で組み込まれる。
【００２７】
一つの月別計量器は、４週に対して、少なくとも１１２の日別計量器または時間別計量器を収めており、その際使用時の確認のために、この押し入れ構造および保管された日別計量器または時間別計量器には、場合によっては日の指定または同等のものを持った形で標識（色、ＰＩＮなど）が付いている。この押し入れ構造または箱状の入れ子には、容器Ｂを保管するための収納格子の他に、押し入れ構造の基盤領域に、チューブ、瓶、ブリスター包装、使用説明書、補助器具および同等のものを組み入れるための開口部も有る。
【００２８】
この押し入れ構造の格別な特徴は、それを、筐体から数ミリメートルにまで、すなわちほぼ完全に引っ張り出して、引っ張り出す最後の段階で、数センチメートル下方に倒すことができることである。そうすることによって、この押し入れ構造の最後方の部分にも、問題無くアクセスすることができる。この押し入れ構造の格別な可動性は、押し入れ構造の背面側に配備したストッパーによって初めて実現され、このストッパーは、この押し入れ構造を完全に引っ張り出した時に、前面側の筐体構造に配置された、これに対応するストッパーと接するものである。さらに、この押し入れ構造の下方に倒れる動きを保証するために、滑りガイドのスロットが、終端に近づくにつれて徐々に広げられており、その結果このスロット内を滑るガイドレールが、より大きくなっていく遊びのために、押し入れ構造ととともに下方に倒れることができるものである。
【００２９】
月別計量器は、基本的な装備では、５つの押し入れ構造を有し、その際有利には４つが小さく、１つが大きな押し入れ構造を備えるものである。この場合、月別計量器の筐体内における押し入れ構造の引き出しは、２つの小さな押し入れ構造に対して、一つの大きな押し入れ構造を取り替えることができるような形で配置される。
【００３０】
月別計量器は、筐体内の個々の、複数の、またはすべての押し入れ構造を封鎖することができる施錠機能を持つことができる。さらに、容易に持ち運ぶための取っ手ユニットが有る。月別計量器は、重ねることが可能であり、これらは、上下に連結することができるとともに、棚、ロッカーに組み入れたり、壁に吊るすこともできる。
【考案を実施するための最良の形態】
【００３１】
この発明の詳細、特徴および利点は、付属する図面と関連した、以下における実施例の記述から明らかとなる。
【００３２】
図１は、週別計量器１の全体像を示している。基本構造において、週別計量器は、直角に接続する側壁５と、利用者が取り去ることができない上部壁面４と、両方の傾斜させた端面側平面２とを持つ基盤部分３で構成される。側壁５に上部壁面４を取り付けるために、上部壁面４には、２つの爪４．１と、側壁には、窪みを持つ２つの対応する逃げ部５．２がある。これらの爪は、これらの爪に対応して形状を適合させた逃げ部に、内側および／または外側から嵌合して、固定接続するようになっている。前方の端面側は、患者による充填した日別計量器７（図２参照）の取り出しと再保管時の取り扱いを改善するために、開けた形で実現されている。後方の端面側には、ほぼ半分の高さの外側に湾曲した外壁２．１を配備しており、その外壁で、これと適合する形で湾曲した基盤部分８を持つ、その時点で最後の日別計量器７を支持する（図２も参照）。
【００３３】
両方の端面側平面２において、その時点で外側に有る日別計量器７を上方から掴んで、前方に引っ張り出したり（前方の開放端面）、上方から挿入する（外壁２．１を持つ後方の端面）ことができるように、週別計量器１の上部壁面４は、側壁５の長さと比べて短く作られている。
【００３４】
取り出し側では、この上部壁面４の開いた空間は、２つの側面に配置された舌片状のばね部品６によって境界を形成している。これらのばね部品６は、上部壁面４の延長部として、前方の端面側平面２の方向に延びており、その時点で前方にある日別計量器７の上に載っている。ばね部品６の前方の領域に下側に配備することができる隆起部６．１は、その時点で前方にある日別計量器７を固定するための措置を補完するものである。このばね部品６の力は、日別計量器７を引っ張り出す場合には、前方に、あるいは日別計量器７を保管する場合には、前方から克服されなければならない。
【００３５】
週別計量器１の後方側にある、その時点で最後の日別計量器７を同じく固定するために、両方の側壁５には、それぞれ一つの挟持部品５．１が設けられており、この部品は、その挟み込む機能によって、そこに位置する日別計量器の両端面を固定する形で作用する（図２も参照）。これらの挟持部品５．１は、挟み込む形の隆起、挟み込む形の楔または挟み込む形のブリッジとして作ることができる。これら二つの構造部品のペア５．１，６は、週別計量器１の任意の姿勢において、日別計量器７が、端面側２からはみ出ることができないことを保証するものである。
【００３６】
図２は、７つの日別計量器７を重ねて「保管した状態」の週別計量器１を図解している。これらの７つの日別計量器７は、それらの縦の狭い側面７．１を、端面側平面２にほぼ平行な半ば傾いた姿勢で週別計量器１の基盤部分３上と接している。
【００３７】
各日別計量器７は、基盤部分８と蓋部分９から構成されている（図３と図４も参照）。これら二つの部分８，９を組立てた場合、蓋部分９は、その側面の縦の周縁部９．１で、基盤部分８の本体壁面を把持する。この蓋部分９を外側に延ばした構造によって、日別計量器を、簡単にカチッと外して素早く蓋を取り外し、続いて（再度）充填することが可能となる。基盤部分８に組み込まれた区切りウェブ８．１によって、日別計量器７の所望の数の保管区画が作られる。基盤部分８上で蓋部分９を相応にずらすことによって、規定の順番で、これらの保管区画を開けることができる。基盤部分８の外壁にわたって分散して配置した突起７．２は、日別計量器７をより良好に保管する働きを持つ。
【００３８】
図５は、格納可能な取っ手部品１８を持つ、運搬可能な実施形態で重ねることができる月別計量器１０を示している。ここに図示した月別計量器１０は、基本構造において、引き出しとして実現された５つの押し入れ構造１１を持つ筐体１２で構成されている。各押し入れ構造１１には、通常２つの引っ張り出すことができる箱状の入れ子１４を嵌め込むことができる。各押し入れ構造１１または各入れ子１４は、またもや半ば傾いた姿勢で、日別計量器および／または時間別計量器７を保管するための、少なくとも一つの収納格子１３を有する。この場合、収納格子１３の支持機能は、日別計量器７の基盤部分８に適合する湾曲部によって実現される。
【００３９】
押し入れ構造１１の基盤部分および入れ子１４には、互いに重なり合う開口部１１．２が設けられており、こうすることによって、押し入れ構造１１を引っ張り出した時に、保管していた日別計量器および／または時間別計量器７、チューブ、瓶、ブリスター包装および同等のものを、この開口部１１．２を通して下方からアクセスすることができ、それによって取り出すのを支援または容易にするものである。
【００４０】
各入れ子１４は、通常対または両側に配置した収納格子１３を有し、日別計量器および／または時間別計量器７は、その両端を、この収納格子に載せる。
【００４１】
標識欄１１．３は、医薬品の整理と投与を容易にする働きを有し、押し入れ構造を掴む面にも、日別計量器または時間別計量器７にも付けることができる。
【００４２】
押し入れ構造１１のガイドを特に構造的に実現することによって、押し入れ構造を、筐体１２からほぼ完全に引っ張り出して、水平面に対して約３０°まで下方に倒すことができる。こうすることによって、押し入れ構造１１の最も後ろの領域にまで、難なくアクセスすることが可能となる。この構造的に実現するための構成と機能方法は、図７と８から明らかとなる。
【００４３】
図７は、押し入れ構造１１の部分図を示しており、押し入れ構造の背面１１．１にあるストッパー１５．１を描いたものである。
【００４４】
図８は、それに対応するストッパー１５．２を持つ筐体構造１２．１の前面側（引き出し側）を示しており、押し入れ構造１１を引っ張り出した時に、押し入れ構造の背面にあるストッパー１５．１が、このストッパーに突き当たる。対応するスロット１６内をガイドレール１７が滑る押し入れ構造１１を下方に倒す動きは、このスロットを、図示したとおり徐々に広げることによって可能となる。
【図面の簡単な説明】
【００４５】
【図１】週別計量器の全体像の斜視図
【図２】図１のＡ−Ａ断面線に沿った「保管した状態」の週別計量器の断面図
【図３】日別計量器の全体像の斜視図
【図４】日別計量器の横断面図
【図５】月別計量器の全体像の斜視図
【図６】月別計量器の押し入れ構造の全体像
【図７】押し入れ構造の部分図
【図８】押し入れ構造の滑りガイドの部分図
【符号の説明】
【００４６】
１    容器Ａ、週別計量器
２    １の端面側、端面側平面
２．１    背面側の外壁
３    １の基盤部分
４    １の上部壁面
４．１    爪
５    １の側壁
５．１    挟持部品
５．２    逃げ部
６    ４の延長部における柔軟なブリッジ部
６．１    隆起部
７    容器Ｂ、日別計量器
７．１    縦の狭い側面
７．２    支持突起
８    基盤部分
８．１    区切りウェブ
９    蓋部分
９．１    側面の縦の周縁部
１０    容器Ｃ、月別計量器
１１    押し入れ構造
１１．１    押し入れ構造の背面
１１．２    基盤部分の開口部
１１．３    標識
１２    筐体
１２．１    筐体構造
１３    収納格子
１４    入れ子
１５    ストッパー
１５．１    押し入れ構造の背面にあるストッパー
１５．２    筐体構造の前面側にあるストッパー
１６    押し入れ構造のスライドガイド用スロット
１７    スロット内を滑るガイドレール
１８    取っ手
【図１】
0003121245.tif 000002
【図２】
0003121245.tif 000003
【図３】
0003121245.tif 000004
【図４】
0003121245.tif 000005
【図５】
0003121245.tif 000006
【図６】
0003121245.tif 000007
【図７】
0003121245.tif 000008
【図８】
0003121245.tif 000009
【手続補正書】
【提出日】平成16年6月4日(2004.6.4)
【手続補正１】
【補正対象書類名】実用新案登録請求の範囲
【補正対象項目名】全文
【補正方法】変更
【補正の内容】
【実用新案登録請求の範囲】
【請求項１】
ｘｙ平面に広がる平坦な筐体およびその両端面側におけるアクセス用開口部を有し、その際これらのアクセス用開口部に対して縦長の内部空間内において、基盤部分（８）および蓋部分（９）から成る複数の日毎計量器（７）が隣接して置かれた状態で存在し、この一つのアクセス用開口部を通して、その都度一つの日毎計量器（７）を取り出すことが可能である週別計量器（１）で構成された、医薬品、特に固形の医薬品を、使用量に応じて収納するための保管器において、
この週別計量器（１）の筐体（容器Ａ）は、基盤部分（３）と上部壁面（４）から成り、これらは、側壁（５）によって互いに連結されており、その際上部壁面（４）は、ｙ方向に広がる側壁（５）上に載っており、この場合、少なくとも部分的に互いに噛み合って取り外し可能な形または取り外し不可能な形で実現されていることと、傾いた状態の前方の端面側平面（２）と上部壁面（４）の始端との間には、開いた空間が残されており、この空間を通して、その時点で前方にある日毎計量器（７）（容器Ｂ）を、より容易に取り出す形で掴み出すことが可能であることと、後方の端面側にある、ほぼ半分の高さの外壁（２．１）が、日毎計量器（７）の半ば傾いた姿勢を保証する湾曲を有し、この湾曲は、その時点で接触する日毎計量器（７）の基盤部分（８）の湾曲と適合しており、日毎計量器（７）の傾斜の度合いが、この傾いた状態の週別計量器（１）の端面側平面（２）と一致することとを特徴とする保管器。
【請求項２】
当該の開いた空間は、週別計量器（１）の上部壁面（４）の始端において、その中心領域と境界を形成し、上部壁面（４）は、この中心領域に続く両方の周縁領域において、ｙ方向に向かって、それぞれ前方の端面側平面（２）の始端にまで達する柔軟なブリッジ部（６）または舌片状のばね部品を有し、これらは、その時点で最初の日毎計量器（７）の上部にある縦の縁部上に弾力的に載っていることを特徴とする請求項１に記載の保管器。
【請求項３】
当該の柔軟なブリッジ部または舌片状のばね部品（６）は、前方の領域において、隆起部（６．１）を有することを特徴とする請求項２に記載の保管器。
【請求項４】
週別計量器（１）の後方側にある、その時点で最後の日別計量器（７）を固定するために、両方の側壁（５）に、それぞれ一つの挟持部品（５．１）を設け、これらの部品は、その挟持機能によって、その場所に位置する日別計量器の両端面を固定する形で作用し、その際これらの挟持部品（５．１）は、挟み込む形の隆起、挟み込む形の楔または挟み込む形のブリッジとして実現することができることを特徴とする請求項１から３までのいずれか一つに記載の保管器。
【請求項５】
週別計量器Ａ（１）の後方の端面側（２．１）に向いた日別計量器（７）の基盤部分（８）は、この外壁（２．１）に適合する形で湾曲した壁面を有し、日別計量器（７）の蓋部分（９）は、その側面の縦の周縁部（９．１）で、基盤部分（８）の本体壁面を把持することを特徴とする請求項１から４までのいずれか一つに記載の保管器。
【請求項６】
日別計量器（７）の基盤部分の外側には、突起（７．２）が、分散して配備されており、これらの突起は、特に滑らかな基盤上において、より良好に支持する働きを有することを特徴とする請求項５に記載の保管器。
【請求項７】
一つの週別計量器（１）に対して、７つの日別計量器（７）が、マガジン形式に、週別計量器（１）の端面側平面（２）に平行な半ば傾いた姿勢で、その縦の狭い側面（７．１）を週別計量器（１）の容器の基盤部分（３）上に載せた形で収納されることを特徴とする請求項１から６までのいずれか一つに記載の保管器。
【手続補正２】
【補正対象書類名】明細書
【補正対象項目名】全文
【補正方法】変更
【補正の内容】
【技術分野】
【０００１】
この発明は、所定の時間に正しい服用量で問題の無い投与を行えるように、各患者の医学的に処方された個人の服用周期に合わせて、医薬品、特に固形の医薬品を予め仕分けて準備するのに適した保管器に関する。
【背景技術】
【０００２】
このような保管器は、特に老人および障害者の看護において、医薬品を保管するとともに、医薬品の分配を容易にするために必要とされている。個々の障害者または老人に対して、医薬品を正しく手渡すための、様々な区画を持つ医薬品ロッカーが周知である。その場合、特に入れ子の中には、所謂ブリスター包装が入っており、対応する医薬品を何曜日の何時に収納するかを示すために利用されている。
【０００３】
老人の場合、投与する医薬品の数が比較的重要なので、医薬品を分配しなければならない看護師には、高い要求が課されることになる。
【０００４】
特許文献１には、小物体、特にタブレットまたはカプセル形状の医薬品に対する、箱型の収納本体を持ち、隣接して並べた個別容器を７個まで収容できる分類容器が開示されている。この箱型の収納本体は、最前列の個別容器を引き出す手段として、基盤部分の前方の中心領域には開口部を、ならびに前方の壁面には垂直のスリット形状の切り通しを有する。各個別容器は、角柱形の開口部を有し、その際透明な引き蓋が、縦の上部にある縁部の内側に延びたスロットで案内されている。
【０００５】
物体、特に医薬品、化粧品または装飾品を保管するための別の容器が、特許文献２に記載されている。この発明の主要な特徴は、スライディングシャッター状の蓋として構成された引き戸部であり、これは、差動継ぎ手（Ａｕｓｇｌｅｉｃｈｓｋｕｐｐｌｕｎｇ）を用いて、保管部品と連結して作用する関係にある。この屈曲する引き戸部を案内するのは、平行に配置され、内側に延びた内壁のスロットによって実現されている。この保管部品は、並んで配置された区画領域を有し、これらの領域は、固定の分離ウェブを用いて、互いに区分されている。
【０００６】
特許文献３により、特に医薬品用の、角柱形のモジュラー構造の容器が周知であり、その折り畳み可能な蓋とその折り畳み可能な基盤部分は、それぞれ容器の背面側で片側を固定されている。この容器の四角い空間形状で配置された７つの区画領域は、固定の分離ウェブによって互いに区分されている。さらに、日別計量器として構成された複数の容器は、容器の収納容量を高めるために、縦に形成したスロットとばねによって互いに連結されている。
【０００７】
特許文献４の発明の対象は、週別計量器として構成された容器であり、それは、垂直に上下に配置された日別計量器を収容し、その際前方の壁面と日別計量器の約半分の深さにまで延びる側壁は、開いている。この場合、四つまでの区画に区分された個々の日別計量器を週別計量器から引き出すのは、前方から行う。日別計量器の個々の区画は、それぞれ開けられる透明な蓋によって区分されている。週別計量器内に個々の日別計量器を固定、案内するのは、容器の内側に配置されたストッパーによって実現されている。
【０００８】
特許文献５に記載されたタブレットを収容する器具により、ただ次の構造を持つ容器だけが知られている。処方された医薬品を収容する、複数の細いまたは小さいコンテナが、この小さいコンテナを収める容器内において、一つの好適な開口部を通して、その都度一つのコンテナだけを取り出すことができるような形で配置されている。この目的のために、容器内のコンテナは、所望の順番で重ねられており、垂直の状態にある容器において下方の側壁にある開口部を通して、最も下にある容器を取り出した後には、次の容器を、重力によって動かす形で下に滑らせている。有利な実施変化形態においては、この個別容器の取り出しは、これに連なり、そのために動くことができる基盤部分を持つばね部品によって実現されている。このばねの力の作用により、一つの容器を引き出した後に、それに続く個別容器が、この開いた領域にまで動かされるものである。
【０００９】
【特許文献１】ドイツ実用新案第２９６１０９５１号明細書
【特許文献２】ドイツ特許第１９８５６４９１号明細書
【特許文献３】国際特許公開第９９／０２１１８号明細書
【特許文献４】米国特許第５，５５８，２２９号明細書
【特許文献５】英国特許公開第２１２２５７８号明細書
【考案の開示】
【考案が解決しようとする課題】
【００１０】
この発明の課題は、容器を、時間別、日別および週別の準備のために閲覧、充填および取り出しを容易に行うことができるように実現および配置した、新しい保管器を開発することである。
【課題を解決するための手段】
【００１１】
この発明にもとづく、この課題の解決法は、請求項１、５および８に記載されている。この発明の改良構成は、従属請求項の中で特徴付けられている。
【００１２】
この発明の思想により、この新しい保管器は、ｘｙ平面に広がる平坦な筐体およびその両端面側におけるアクセス用開口部を有し、その際これらのアクセス用開口部に対して縦長の内部空間内において、基盤部分および蓋部分から成る複数の日毎計量器が傾いた姿勢で隣接して置かれた状態で存在し、この一つのアクセス用開口部を通して、その都度一つの日毎計量器を取り出すことが可能である週別計量器で構成される。この週別計量器の筐体（容器Ａとも呼ぶ）は、基盤部分と上部壁面から成り、これらは、側壁によって互いに連結されており、その際この上部壁面は、このｙ方向に広がる側壁上に載っており、この場合、少なくとも部分的に互いに噛み合って取り外し可能な形または取り外し不可能な形で実現される。この傾いた状態の前方の端面側平面と上部壁面の始端との間には、開いた空間が残されており、この空間を通して、その時点で前方にある日毎計量器（容器Ｂとも呼ぶ）を、より容易に取り出す形で掴み出すことが可能である。この週別計量器の後方の端面側にある、ほぼ半分の高さの外壁が、日毎計量器の半ば傾いた姿勢を保証する湾曲を有し、この湾曲は、その時点で接触する日毎計量器の基盤部分の湾曲と適合している。
【００１３】
この日別計量器の傾斜の度合いは、この傾いた状態の週別計量器の端面側平面と一致する。この場合、両方の端面側平面を同様に傾斜させるのは、前方の端面側によって主導される。この傾斜配置によって、容器Ａ内の重ねられた保管姿勢において、利用者が、すべての容器Ｂのその時点の中身を、追加の行為無しに何時でも一目で見通すことができる。
【００１４】
容器Ｂは、日別計量器または時間別計量器である。
【００１５】
各週別計量器（容器Ａ）には、７つの日別計量器が有る。例えば、タブレットが入った日別計量器（容器Ｂ）は、前方から、すなわち週別計量器の前方の端面側を通して引っ張り出したり、再び入れたり、ならびに中身の使用量に応じて、マガジン形式に、再び後方の端面側から週別計量器に投入することができる。
【００１６】
それぞれ週の周期に応じて、週別計量器に日別計量器をより簡単に充填するために、容器Ａの側壁に載っている上部壁面を取り外し可能な形で実現することができる。その場合、有利な実施構成では、この上部壁面の側面の端部と、これと接する側壁の縦の縁部とは、この上部壁面を、この側壁の内側への押圧だけで、それによって週別計量器の空の状態において、取り外すことができる形で、互いに噛み合う。
【００１７】
週別計量器の前方の端面側または端面側平面と、この上部壁面の始端との間には、開いた空間が設けられている。この開いた空間は、その時点に取り出し側にある最初の日別計量器を上方からアクセスして、それによってその時点で最初の日別計量器をより簡単に取り出しおよびより簡単に再投入することを可能とするものである。
【００１８】
有利な実施構成では、この開いた空間は、週別計量器の上部壁面の始端において、その中心領域と境界を形成し、この中心領域に続く両方の周縁側では、上部壁面が、それぞれ柔軟なブリッジ部または舌片状のばね部品の形状で前方の端面側にまで延びている。この柔軟なブリッジ部は、その時点で最初の日別計量器の上部にある縦の縁部上に上方から弾力的に載っており、マガジンから取り出す準備ができている前方の日別計量器を十分に固定することを保証するものである。この場合、この前方の領域での固定機能を支援するための柔軟なウェブは、隆起部を有し、この隆起部の抵抗は、日別計量器を取り出すまたは戻す場合に克服されなければならない。
【００１９】
週別計量器の後方の端面側には、ほぼ半分の高さの外壁があり、その外壁とは、その時点で後方にある日別計量器が、その基盤部分を接している。
【００２０】
日別計量器は、その寸法において、その長さが週別計量器の幅に適合しており、その結果週別計量器内で日別計量器を横に置いて重ねることによって、この「保管（Ａｕｆｍａｇａｚｉｅｒｅｎ）」が実現される。
【００２１】
各日別計量器は、基盤部分と、この基盤部分から取り外し可能またはこの基盤部分で縦方向にずらすことが可能なように実現された、有利には透明な蓋部分から構成される。二つの部分を組立てた場合に、この蓋部分は、その側面の縦の周縁部で、基盤部分の本体壁面を把持する。
【００２２】
この日別計量器の基盤部分は、湾曲した壁面で実現され、この基盤部分には、互いに区分された保管空間を形成するための区切りウェブが配備される。
【００２３】
この基盤部分の縦軸を横切る形で配備された区切りウェブによって、各日別計量器は、少なくとも５つの小間に区分され、その結果例えば、「朝」、「昼」、「晩」、「夜」および「必要時」に対するタブレットを収納することができる。対応するラベルは、蓋部分に取り付けることができる。
【００２４】
さらに、日別計量器は、その基盤領域の外側に分散して配備された突起を有し、これらの突起は、特に滑らかな停止表面上において、より良好な支持を可能とするものである。また、これらの突起は、滑り止め材料から構成され、その材料は、停止表面上において、最適な取り出しと位置設定を可能とするものである。
【００２５】
この発明の主要な利点は、日別計量器が、マガジン形式に、端面側平面に平行な半ば傾いた姿勢で、その縦の狭い側面を週別計量器の容器の基盤部分上に載せた形で配置されていることにある。
【００２６】
こうすることによって、タブレットを取り出す前に、それらを見渡すことが可能となる。そのため、利用者は、心理的な観点からの意味において、取り出す前段行為として、服用しようとしているタブレットと既に服用したタブレットを概観することができる。
【考案を実施するための最良の形態】
【００２７】
この発明の詳細、特徴および利点は、付属する図面と関連した、以下における実施例の記述から明らかとなる。
【００２８】
図１は、週別計量器１の全体像を示している。基本構造において、週別計量器は、直角に接続する側壁５と、利用者が取り去ることができない上部壁面４と、両方の傾斜させた端面側平面２とを持つ基盤部分３で構成される。側壁５に上部壁面４を取り付けるために、上部壁面４には、２つの爪４．１と、側壁には、窪みを持つ２つの対応する逃げ部５．２がある。これらの爪は、これらの爪に対応して形状を適合させた逃げ部に、内側および／または外側から嵌合して、固定接続するようになっている。前方の端面側は、患者による充填した日別計量器７（図２参照）の取り出しと再保管時の取り扱いを改善するために、開けた形で実現されている。後方の端面側には、ほぼ半分の高さの外側に湾曲した外壁２．１を配備しており、その外壁で、これと適合する形で湾曲した基盤部分８を持つ、その時点で最後の日別計量器７を支持する（図２も参照）。
【００２９】
両方の端面側平面２において、その時点で外側に有る日別計量器７を上方から掴んで、前方に引っ張り出したり（前方の開放端面）、上方から挿入する（外壁２．１を持つ後方の端面）ことができるように、週別計量器１の上部壁面４は、側壁５の長さと比べて短く作られている。
【００３０】
取り出し側では、この上部壁面４の開いた空間は、２つの側面に配置された舌片状のばね部品６によって境界を形成している。これらのばね部品６は、上部壁面４の延長部として、前方の端面側平面２の方向に延びており、その時点で前方にある日別計量器７の上に載っている。ばね部品６の前方の領域に下側に配備することができる隆起部６．１は、その時点で前方にある日別計量器７を固定するための措置を補完するものである。このばね部品６の力は、日別計量器７を引っ張り出す場合には、前方に、あるいは日別計量器７を保管する場合には、前方から克服されなければならない。
【００３１】
週別計量器１の後方側にある、その時点で最後の日別計量器７を同じく固定するために、両方の側壁５には、それぞれ一つの挟持部品５．１が設けられており、この部品は、その挟み込む機能によって、そこに位置する日別計量器の両端面を固定する形で作用する（図２も参照）。これらの挟持部品５．１は、挟み込む形の隆起、挟み込む形の楔または挟み込む形のブリッジとして作ることができる。これら二つの構造部品のペア５．１，６は、週別計量器１の任意の姿勢において、日別計量器７が、端面側２からはみ出ることができないことを保証するものである。
【００３２】
図２は、７つの日別計量器７を重ねて「保管した状態」の週別計量器１を図解している。これらの７つの日別計量器７は、それらの縦の狭い側面７．１を、端面側平面２にほぼ平行な半ば傾いた姿勢で週別計量器１の基盤部分３上と接している。
【００３３】
各日別計量器７は、基盤部分８と蓋部分９から構成されている（図３と図４も参照）。これら二つの部分８，９を組立てた場合、蓋部分９は、その側面の縦の周縁部９．１で、基盤部分８の本体壁面を把持する。この蓋部分９を外側に延ばした構造によって、日別計量器を、簡単にカチッと外して素早く蓋を取り外し、続いて（再度）充填することが可能となる。基盤部分８に組み込まれた区切りウェブ８．１によって、日別計量器７の所望の数の保管区画が作られる。基盤部分８上で蓋部分９を相応にずらすことによって、規定の順番で、これらの保管区画を開けることができる。基盤部分８の外壁にわたって分散して配置した突起７．２は、日別計量器７をより良好に保管する働きを持つ。
【図面の簡単な説明】
【００３４】
【図１】週別計量器の全体像の斜視図
【図２】図１のＡ−Ａ断面線に沿った「保管した状態」の週別計量器の断面図
【図３】日別計量器の全体像の斜視図
【図４】日別計量器の横断面図
【符号の説明】
【００３５】
１    容器Ａ、週別計量器
２    １の端面側、端面側平面
２．１    背面側の外壁
３    １の基盤部分
４    １の上部壁面
４．１    爪
５    １の側壁
５．１    挟持部品
５．２    逃げ部
６    ４の延長部における柔軟なブリツジ部
６．１    隆起部
７    容器Ｂ、日別計量器
７．１    縦の狭い側面
７．２    支持突起
８    基盤部分
８．１    区切りウェブ
９    蓋部分
９．１    側面の縦の周縁部


【手続補正３】
【補正対象書類名】図面
【補正対象項目名】全図
【補正方法】変更
【補正の内容】
【図１】
0003121245.tif 000010
【図２】
0003121245.tif 000011
【図３】
0003121245.tif 000012
【図４】
0003121245.tif 000013